Podtech/llm-jp-corpus-v4-ja_patent huggingface dataset:
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のユーザ機器（ＵＥ）の低レイテンシ能力およびレイテンシモードを決定することと、
前記第１のＵＥの前記低レイテンシ能力および前記レイテンシモードに少なくとも部分的に基づいて、前記第１のＵＥのための低レイテンシインターネットプロトコル（ＩＰ）パケットルーティングを有効化することと、
前記第１のＵＥの前記低レイテンシ能力および前記レイテンシモードに少なくとも部分的に基づいて、前記低レイテンシＩＰパケットルーティングのためのローカルゲートウェイ（ＬＧＷ）を選択することと
を備える、方法。
【請求項２】
前記低レイテンシＩＰパケットルーティングが、前記第１のＵＥの前記レイテンシモードと関連付けられるアクセスポイント名（ＡＰＮ）に関して有効化され、前記ＬＧＷが前記ＡＰＮに少なくとも部分的に基づいて選択される、請求項１に記載の方法。
【請求項３】
前記第１のＵＥのために構成された各ベアラに関するサービス品質（ＱｏＳ）を決定することと、
前記決定されたＱｏＳに少なくとも部分的に基づいて前記ＬＧＷを選択することと
をさらに備える、請求項１に記載の方法。
【請求項４】
前記第１のＵＥおよび第２のＵＥが共通の基地局に接続されていると決定することと、
前記第２のＵＥのレイテンシモードが前記第１のＵＥの前記レイテンシモードと同じであると決定することと、
前記第２のＵＥの前記レイテンシモードが前記第１のＵＥの前記レイテンシモードと同じであると決定することに少なくとも部分的に基づいて、前記共通の基地局内で前記第１のＵＥと前記第２のＵＥとの間でパケットデータトラフィックをルーティングすることと
をさらに備える、請求項１に記載の方法。
【請求項５】
前記第１のＵＥが第１の基地局に接続され、第２のＵＥが第２の基地局に接続されていると決定することと、ここにおいて、前記第１の基地局および前記第２の基地局がダイレクトバックホールリンクを介して通信している、
前記第２のＵＥのレイテンシモードが前記第１のＵＥの前記レイテンシモードと同じであると決定することと、
前記第１の基地局と前記第２の基地局との間の前記ダイレクトバックホールリンクを介して前記第１のＵＥと前記第２のＵＥとの間でパケットデータトラフィックをルーティングすることと
をさらに備える、請求項１に記載の方法。
【請求項６】
ワイヤレス通信のための装置であって、
第１のユーザ機器（ＵＥ）の低レイテンシ能力およびレイテンシモードを決定するための手段と、
前記第１のＵＥの前記低レイテンシ能力および前記レイテンシモードに少なくとも部分的に基づいて、前記第１のＵＥのための低レイテンシインターネットプロトコル（ＩＰ）パケットルーティングを有効化するための手段と、
前記第１のＵＥの前記低レイテンシ能力および前記レイテンシモードに少なくとも部分的に基づいて、前記低レイテンシＩＰパケットルーティングのためのローカルゲートウェイ（ＬＧＷ）を選択するための手段と
を備える、装置。
【請求項７】
前記第１のＵＥの前記レイテンシモードと関連付けられるアクセスポイント名（ＡＰＮ）に関して前記低レイテンシＩＰパケットルーティングを有効化するための手段と、
前記ＡＰＮに少なくとも部分的に基づいて前記ＬＧＷを選択するための手段と
をさらに備える、請求項６に記載の装置。
【請求項８】
前記第１のＵＥのために構成された各ベアラに関するサービス品質（ＱｏＳ）を決定するための手段と、
前記決定されたＱｏＳに少なくとも部分的に基づいて前記ＬＧＷを選択するための手段と
をさらに備える、請求項６に記載の装置。
【請求項９】
前記第１のＵＥおよび第２のＵＥが共通の基地局に接続されていると決定するための手段と、
前記第２のＵＥのレイテンシモードが前記第１のＵＥの前記レイテンシモードと同じであると決定するための手段と、
前記第２のＵＥの前記レイテンシモードが前記第１のＵＥの前記レイテンシモードと同じであると決定することに少なくとも部分的に基づいて、前記共通の基地局内で前記第１のＵＥと前記第２のＵＥとの間でパケットデータトラフィックをルーティングするための手段と
をさらに備える、請求項６に記載の装置。
【請求項１０】
前記第１のＵＥが第１の基地局に接続され、第２のＵＥが第２の基地局に接続されていると決定するための手段と、ここにおいて、前記第１の基地局および前記第２の基地局がダイレクトバックホールリンクを介して通信している、
前記第２のＵＥのレイテンシモードが前記第１のＵＥの前記レイテンシモードと同じであると決定するための手段と、
前記第１の基地局と前記第２の基地局との間の前記ダイレクトバックホールリンクを介して前記第１のＵＥと前記第２のＵＥとの間でパケットデータトラフィックをルーティングするための手段と
をさらに備える、請求項６に記載の装置。
【請求項１１】
ユーザ機器（ＵＥ）におけるワイヤレス通信の方法であって、
前記ＵＥの低レイテンシ能力およびレイテンシモード信号をネットワークに送信することと、
前記低レイテンシ能力および前記レイテンシモード信号に少なくとも部分的に基づいて、低レイテンシインターネットプロトコル（ＩＰ）パケットルーティングのための許可信号を受信することと、
前記許可信号に少なくとも部分的に基づいて、ローカルゲートウェイ（ＬＧＷ）を介して前記許可信号に従ってパケットをルーティングすることと
を備える、方法。
【請求項１２】
前記低レイテンシＩＰパケットルーティングが、前記低レイテンシ能力および前記レイテンシモード信号、もしくは加入者情報、または両方に少なくとも部分的に基づいて、アクセスポイント名（ＡＰＮ）に関して許可される、請求項１１に記載の方法。
【請求項１３】
サービス品質（ＱｏＳ）指示を前記ネットワークに送信すること、ここにおいて、前記許可信号が前記ＱｏＳ指示に少なくとも部分的に基づく、
をさらに備える、請求項１１に記載の方法。
【請求項１４】
ユーザ機器（ＵＥ）におけるワイヤレス通信のための装置であって、
前記ＵＥの低レイテンシ能力およびレイテンシモード信号をネットワークに送信するための手段と、
前記低レイテンシ能力および前記レイテンシモード信号に少なくとも部分的に基づいて、低レイテンシインターネットプロトコル（ＩＰ）パケットルーティングのための許可信号を受信するための手段と、
前記許可信号に少なくとも部分的に基づいて、ローカルゲートウェイ（ＬＧＷ）を介して前記ネットワークと通信するための手段と
を備える、装置。
【請求項１５】
コンピュータに請求項１〜５または１１〜１３のうちの一項に従った方法を実行させるための命令を備える、コンピュータプログラム。
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
配列番号１０のアミノ酸を含むキメラ抗原レセプター分子をコードする核酸分子。
【請求項２】
請求項１に記載の前記核酸分子を含む発現ベクター。
【請求項３】
当該発現ベクターはレンチウイルスベクターである、請求項２に記載の発現ベクター。
【請求項４】
前記キメラ抗原レセプターをコードする前記ヌクレオチド配列に先行するＧＭＳＣＦＲａシグナル配列をコードするヌクレオチド配列をさらに含む、請求項１に記載の核酸分子。
【請求項５】
前記ＧＭＳＣＦＲａシグナル配列が、配列番号２のアミノ酸配列を含む、請求項４に記載の核酸分子。
【請求項６】
前記キメラ抗原レセプターをコードする前記ヌクレオチド配列に続くＴ２Ａリボソームスキップ配列をコードするヌクレオチド配列をさらに含む、請求項４に記載の核酸分子。
【請求項７】
Ｔ２Ａリボソームスキップ配列が、配列番号８のアミノ酸配列を含む、請求項６に記載の核酸分子。
【請求項８】
請求項４に記載の前記核酸分子を含む発現ベクター。
【請求項９】
前記発現ベクターがレンチウイルスベクターである、請求項８に記載の発現ベクター。
【請求項１０】
前記キメラ抗原レセプターをコードする前記ヌクレオチド配列に続くＴ２Ａリボソームスキップ配列をコードするヌクレオチド配列をさらに含む、請求項１に記載の核酸分子。
【請求項１１】
Ｔ２Ａリボソームスキップ配列が、配列番号８のアミノ酸配列を含む、請求項１０に記載の核酸分子。
【請求項１２】
前記Ｔ２Ａリボソームスキップ配列をコードする前記ヌクレオチド配列に続く短縮型ＣＤ１９をコードするヌクレオチド配列をさらに含む、請求項１０に記載の核酸分子。
【請求項１３】
前記短縮型ＣＤ１９が、配列番号９のアミノ酸配列を含む、請求項１２に記載の核酸分子。
【請求項１４】
前記短縮型ＣＤ１９が配列番号９のアミノ酸配列からなる、請求項１２に記載の核酸分子。
【請求項１５】
短縮型ＣＤ１９をコードするヌクレオチド配列をさらに含む、請求項１に記載の核酸分子。
【請求項１６】
前記短縮型ＣＤ１９が、配列番号９のアミノ酸配列を含む、請求項１５に記載の核酸分子。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
草、小麦、トウモロコシ、干し草、まぐさなどの前もって刈った農業生産物を集めるための少なくとも１つの装置（Ｂ）と、
ベールを形成するための、前記収集装置（Ｂ）から受けた、前記農業生産物の収容、圧縮のためのチャンバ（Ｃ）と、
を備えたベーラ、ラウンドベーラなどの種類の農業機械（Ａ）のための曳航装置であって、
前記農業機械（Ａ）に連結することができ、第２の部材（３）と関連する、少なくとも１つの第１の部材（２）を備え、
前記第２の部材（３）は、次に、前記農業機械（Ａ）を牽引するためにトラクタ（Ｄ）に連結することができる第３の部材（４）と関連し、
前記第１の部材（２）及び前記第２の部材（３）のいずれかまたは両方は、前記トラクタ（Ｄ）の進行とは少なくとも部分的に無関係な前記農業機械（Ａ）の動作のために、少なくとも１つのそれぞれの作動装置（５）によって制御されることを特徴とする曳航装置。
【請求項２】
前記農業機械（Ａ）に堅く連結することができる前記第１の部材（２）に対して、反対の端部において、実質的に垂直な第１の回転軸（Ｆ）の周りを前記第２の部材（３）が、旋回し、
前記第２の部材（３）は、前記第３の部材（４）とは反対の端部で接続された少なくとも１つの前記作動装置（５）によって制御され、
前記トラクタ（Ｄ）に堅く連結することができる前記第３の部材（４）に対して、実質的に垂直な第２の回転軸（Ｇ）の周りを前記第２の部材（３）が、旋回することを特徴とする請求項１に記載の曳航装置。
【請求項３】
前記少なくとも１つの作動装置（５）は、実質的に油圧シリンダによって構成され、前記油圧シリンダは、前記第３の部材（４）から突き出ている少なくとも１つの曲線をつけて作られたつまみ（７）とその端部の一方と連結された、実質的に円筒形のカバー（６）と、少なくとも部分的に、前記カバー（６）の中に滑ることができ、前記第２の部材（３）から突き出ている曲線をつけて作られた頂点（９）とその自由終端で連結された、ピストン（８）と、を有することを特徴とする請求項２に記載の曳航装置。
【請求項４】
その自動的な稼働のための、及び前記トラクタ（Ｄ）の進行方向（Ｅ）と無関係な前記農業機械（Ａ）のその結果としての自動的な動きのための、前記少なくとも１つの作動装置（５）の自動的な制御及び管理の手段を備えることを特徴とする請求項１乃至３のいずれか１項に記載の曳航装置。
【請求項５】
前記自動的な制御及び管理の手段は、前記農業機械（Ａ）のチャンバ（Ｃ）に配置することができ、少なくとも１つの、直接または間接の、圧力の測定センサと、前記チャンバ（Ｃ）の内側に圧力値の上昇を測定することを手段として、見つけることが可能である、前記ベール形成過程における不規則の存在下で前記作動装置（５）の自動的な稼働のために前記少なくとも１つのセンサに関連し、前記作動装置（５）を駆動する電子ユニットと、を備え、前記測定は、前記少なくとも１つのセンサによって行われることを特徴とする請求項４に記載の曳航装置。
【請求項６】
前記第１の部材（２）は、前記第１の回転軸（Ｆ）に従って配置され、前記第２の部材（３）に連結された第１の旋回軸（１１）のための第１の回転可能な調節台座を画定する、第１のフォーク（１０）を備えることを特徴とする請求項１乃至５のいずれか１項に記載の曳航装置。
【請求項７】
前記第１の部材（２）の前記第１のフォーク（１０）は、複数の異なる形態から選択された１つの形態によって、前記農業機械（Ａ）に堅く固定することができる、曲線をつけて作られた棒（１３）の組のための支持ブラケット（１２）へ、堅く固定されていることを特徴とする請求項６に記載の曳航装置。
【請求項８】
前記支持ブラケット（１２）及び前記第１のフォーク（１０）は複数のそれぞれのスロット（１４）を有し、前記スロット（１４）の選択された少なくともいくつかは、釘、びょう、ねじなどの種類の、第１の固定要素を差し込むことで相互に１列に並べることができ、そして、その結果として、複数の異なる形態から選ばれた１つの形態によって、前記第１のフォーク（１０）へ前記ブラケット（１２）の堅い固定がなされることを特徴とする請求項７に記載の曳航装置。
【請求項９】
前記第３の部材（４）は、前記第２の回転軸（Ｇ）に沿って配置され、前記第２の部材（３）へ連結された第２の旋回軸（１６）のための第２の回転可能な収容台座を画定する、第２のフォーク（１５）を備えることを特徴とする請求項１乃至８のいずれか１項に記載の曳航装置。
【請求項１０】
前記第２のフォーク（１５）は、前記トラクタ（Ｄ）に堅く固定することができる曲線をつけて作られたプレート（１７）の組へ固定され、
前記プレート（１７）は、複数の異なる配置から選ばれた１つの配置によって、前記トラクタ（Ｄ）と一体になっている、固定されたピンに回転可能に連結することが可能なトウイングアイ（１９）の堅い支持部材（１８）を支持することを特徴とする請求項９に記載の曳航装置。
【請求項１１】
前記プレート（１７）及び前記支持部材（１８）はそれぞれ複数の孔（２０）を有し、前記孔（２０）から選択された少なくともいくつかは、釘、びょう、ねじなどの種類の、第２の固定要素を差し込めるように互いに並んでおり、その結果として、異なる相互の複数の配置から選ばれた１つの相互の配置によって、前記トウイングアイ（１９）及び前記プレート（１７）の間並びに前記第２のフォーク（１５）の固い連結がなされること特徴とする請求項１０に記載の曳航装置。
【請求項１２】
前記プレート（１７）の１つは、前記油圧シリンダの前記カバー（６）の回転可能な支持体のために、相互に平行に、前記突き出ているつまみ（７）の組を画定することを特徴とする請求項１０に記載の曳航装置。
【請求項１３】
前記第２の部材（３）は、実質的に相互に反対の端部（３ａ、３ｂ）、前記第１の旋回軸（１１）及び前記第２の旋回軸（１６）において、画定する外形の要素によって構成されていることを特徴とする請求項１乃至１２のいずれか１項に記載の曳航装置。
【請求項１４】
前記外形の要素は実質的に、相互に平行な、前記２つの終端部（３ａ、３ｂ）と、傾けられた、中間部（３ｃ）からなり、前記第１の旋回軸（１１）は、前記第２の旋回軸（１６）に対して、そして、その結果として前記トウイングアイ（１９）に対して垂直により高い位置に配置される第１の取り付け選択肢、及び前記第１の旋回軸（１１）は、前記第２の選択軸（１６）に対して、そして、その結果として前記トウイングアイ（１９）に対して垂直により低い位置に配置される第２の選択肢、の少なくとも１つによって、前記第２の部材（３）から前記第１の部材（２）へ回転可能に連結することができることを特徴とする請求項１３に記載の曳航装置。
【請求項１５】
前記第２の部材（２）は、前記中間部（３ｃ）の相互に反対の側面に配置された、前記突き出ているつまみ（９）の２つを画定し、
前記少なくとも２つの取り付け選択肢のそれぞれ１つにおいて、前記ピストン（８）の前記自由終端は、それぞれの突き出ているつまみ（９）に連結していることを特徴とする請求項１４に記載の曳航装置。
【手続補正書】
【提出日】平成30年10月2日(2018.10.2)
【手続補正１】
【補正対象書類名】明細書
【補正対象項目名】００６７
【補正方法】変更
【補正の内容】
【００６７】
（参考文献）
【化２】
2017534300.tif 000001
本件出願は、以下の構成の発明を提供する。
（構成１）
生体試料由来の、腫瘍を起源とする無細胞ヌクレオソーム又は循環腫瘍DNA（ctDNA）を検出し、単離し、かつ/又は精製するためのヒストンH3.1結合剤及び/又はH3.2結合剤及び/又はH3t結合剤の使用。
（構成２）
生体試料から、腫瘍を起源とする循環無細胞ヌクレオソームをアフィニティー精製により単離するための方法であって、
(i) 該試料をヒストンH3.1結合剤及び/又はH3.2結合剤及び/又はH3t結合剤と接触させる工程；
(ii) 該試料から結合したヌクレオソームを単離する工程；及び
(iii) 該単離したヌクレオソーム及び/又は結合したDNAを分析する工程、を含む、前記方法。
（構成３）
前記単離したヌクレオソーム及び/又は結合したDNAを分析する工程が免疫検定法を含む、構成2記載の方法。
（構成４）
前記単離したヌクレオソーム及び/又は結合したDNAを分析する工程がプロテオミクス法を含む、構成2記載の方法。
（構成５）
前記単離したヌクレオソーム及び/又は結合したDNAを分析する工程が質量分析を含む、構成2記載の方法。
（構成６）
生体試料から精製循環腫瘍DNA（ctDNA）を単離するための方法であって：
(i) ヒストンH3.1及び/又はH3.2及び/又はH3tを含む循環無細胞ヌクレオソームを単離する工程；
(ii) 工程(i)で生じたヌクレオソーム試料からDNAを抽出する工程；及び
(iii) 該抽出されたDNAを分析する工程、を含む、前記方法。
（構成７）
前記抽出されたDNAを分析する工程が：DNA配列決定法、メチル化DNA配列決定分析、PCR、BEAMing、NGS（標的型又は全ゲノム型）、デジタルPCR、低温PCR（低変性温度のPCRによる共増幅）、MAP（MIDI活性化ピロリン酸分解）、PARE（個人化された再配列末端の分析）、又は質量分析を含む、構成6記載の方法。
（構成８）
生体試料中の、腫瘍に由来する循環ヌクレオソームの後成的エピトープを検出するための免疫検定法であって：
(i) 該試料をヒストンH3.1結合剤及び/又はH3.2結合剤及び/又はH3t結合剤と接触させる工程；
(ii) 該ヌクレオソーム又は試料を該エピトープに結合する第二結合剤と接触させる工程；
(iii) 該第二結合剤の該エピトープへの結合を検出し、かつ/又は定量化する工程；及び
(iv) そのような結合の存在又は程度を該試料中の腫瘍に由来するヌクレオソームの特定のエピトープの存在の尺度として使用する工程、を含む、前記方法。
（構成９）
生体試料中の、腫瘍に由来する循環ヌクレオソームの後成的エピトープを検出するための免疫検定法であって：
(i) 該試料を該エピトープに結合する第一結合剤と接触させる工程；
(ii) 該ヌクレオソーム又は試料をヒストンH3.1結合剤及び/又はH3.2結合剤及び/又はH3t結合剤と接触させる工程；
(iii) 該ヒストンH3.1結合剤及び/又はH3.2結合剤及び/又はH3t結合剤の該試料中のヌクレオソームとの結合を検出し、かつ/又は定量化する工程；及び
(iv) そのような結合の存在又は程度を該試料中の腫瘍に由来するヌクレオソームの特定のエピトープの存在の尺度として使用する工程、を含む、前記方法。
（構成１０）
前記エピトープがヒストン修飾を含む、構成8又は9記載の方法。
（構成１１）
前記エピトープが修飾ヌクレオチドを含む、構成8又は9記載の方法。
（構成１２）
前記エピトープがヒストンのバリアント又はアイソフォームを含む、構成8又は9記載の方法。
（構成１３）
前記エピトープがヌクレオソーム付加物を含む、構成8又は9記載の方法。
（構成１４）
前記生体試料が血液、血清、又は血漿試料を含む、構成1〜13のいずれか1記載の使用又は方法。
（構成１５）
ヒト又は動物対象から得られる生体試料中の循環無細胞ヌクレオソームと関連するヒストンバリアントH3.1及び/又はH3.2及び/又はH3tを検出する工程を含む、癌の診断方法。
（構成１６）
1以上のヒストン修飾、修飾ヌクレオチド、ヒストンのバリアント若しくはアイソフォーム、又はヌクレオソーム付加物を検出することをさらに含む、構成15記載の方法。
（構成１７）
前記ヒストン修飾がH3K27Ac及び/又は5-メチルシトシンを含む、構成16記載の方法。
（構成１８）
構成2〜17のいずれか1記載の方法における、ヒストンH3.1結合剤及び/又はH3.2結合剤及び/又はH3t結合剤を含むキットの使用。
（構成１９）
前記ヒストンH3.1結合剤及び/又はH3.2結合剤及び/又はH3t結合剤が、H3.1結合剤を含む、構成1〜18のいずれか1記載の使用又は方法。
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
ワイヤレス充電器であって、
少なくとも1つの充電領域内にワイヤレス充電場を生成するための手段と、
通信リンクを介して充電可能デバイスと通信するための手段と、
前記ワイヤレス充電器と前記充電可能デバイスとの間の前記通信リンクの切断を開始することによって、前記充電可能デバイスと前記ワイヤレス充電器および少なくとも1つの他のワイヤレス充電器との交差接続の回避を容易にするための手段であって、前記切断を開始することが、前記ワイヤレス充電器の検出された送信電力レベルと前記ワイヤレス充電器の電力レベルの少なくとも1つの飽和状態を示す少なくとも1つの所定のレベルとの比較に少なくとも部分的に基づく、手段と
を含む、ワイヤレス充電器。
【請求項２】
ワイヤレス充電場を生成するための前記手段がワイヤレス電力送信機であり、
充電可能デバイスと通信するための前記手段がトランシーバであり、
交差接続の回避を容易にするための前記手段がコントローラである、
請求項1に記載のワイヤレス充電器。
【請求項３】
前記切断を前記開始することはさらに、前記検出された送信電力レベルと、送信電力の要求された変化との比較に少なくとも部分的に基づく、請求項1または2に記載のワイヤレス充電器。
【請求項４】
送信電力の要求された変化は、前記少なくとも1つの飽和状態が最大許容送信機電力レベルを示すときの増加した電力レベルの要求、または、前記少なくとも1つの飽和状態が最小許容送信機電力レベルを示すときの減少した電力レベルの要求のうちの少なくとも1つに対応する、請求項2に記載のワイヤレス充電器。
【請求項５】
前記コントローラは、前記送信電力レベルを検出し、前記検出された送信電力レベルを、前記少なくとも1つの飽和状態を示す前記少なくとも1つの所定のレベルと比較するようにさらに構成される、請求項2に記載のワイヤレス充電器。
【請求項６】
前記コントローラは、前記少なくとも1つの飽和状態が存在するかどうかを検出し、前記少なくとも1つの飽和状態が存在することを検出した後に前記切断を開始するようにさらに構成される、請求項2に記載のワイヤレス充電器。
【請求項７】
前記コントローラは、所定の時間期間の間、前記少なくとも1つの飽和状態が持続することを検出した後、前記切断を開始するようにさらに構成される、請求項6に記載のワイヤレス充電器。
【請求項８】
前記コントローラは、交差接続状態と、前記少なくとも1つの飽和状態が存在する非交差接続状態との間を区別するようにさらに構成され、前記コントローラは、前記非交差接続状態が存在する場合、前記充電可能デバイスからの前記ワイヤレス充電器の切断を開始しないようにさらに構成される、請求項7に記載のワイヤレス充電器。
【請求項９】
前記少なくとも1つの所定のレベルは、最大電力飽和状態を示す第1の所定のレベル、または最小電力飽和状態を示す第2の所定のレベルのうちの少なくとも1つを含み、前記最大電力飽和状態は第1の電力レベル以上の送信電力を含み、前記最小電力飽和状態は第2の電力レベル以下の前記送信電力を含む、請求項1または2に記載のワイヤレス充電器。
【請求項１０】
前記第1の電力レベルは最大許容レベルに相当し、前記第2の電力レベルは最小許容レベルに相当する、請求項9に記載のワイヤレス充電器。
【請求項１１】
前記コントローラは、所定の時間期間の間、所定の量だけ送信電力を変化させるようにさらに構成され、前記切断を前記開始することはさらに、前記検出された送信電力レベルの検出された変化と、前記所定の量との比較に少なくとも部分的に基づく、請求項2に記載のワイヤレス充電器。
【請求項１２】
前記コントローラは、前記ワイヤレス充電器から、前記ワイヤレス充電器に適切に接続された充電可能デバイスへの電力の伝達に悪影響を及ぼすことを回避するために前記所定の量および前記時間期間を選択するようにさらに構成される、請求項11に記載のワイヤレス充電器。
【請求項１３】
ワイヤレス充電器と通信している充電可能デバイスの交差接続の回避を容易にする方法であって、
ワイヤレス充電器の送信電力レベルを検出するステップと、
前記検出された送信電力レベルを、少なくとも1つの飽和状態を示す少なくとも1つの所定のレベルと比較するステップと、
前記ワイヤレス充電器の電力レベルの前記少なくとも1つの飽和状態が存在するかどうかに少なくとも部分的に基づいて前記ワイヤレス充電器と前記充電可能デバイスとの間の通信リンクの切断を開始するステップと
を含む、方法。
【請求項１４】
前記送信電力レベルを前記検出するステップと、前記検出された送信電力レベルを前記比較するステップと、前記切断を前記開始するステップは、前記ワイヤレス充電器または前記充電可能デバイスによって実行される、または、
前記送信電力レベルを前記検出するステップと、前記検出された送信電力レベルを前記比較するステップと、前記切断を前記開始するステップのうちの少なくとも1つは、前記ワイヤレス充電器によって実行され、前記送信電力レベルを前記検出するステップと、前記検出された送信電力レベルを前記比較するステップと、前記切断を前記開始するステップのうちの少なくとも他の1つは、前記充電可能デバイスによって実行される、請求項13に記載の方法。
【請求項１５】
実行時にワイヤレス充電器に請求項１３に記載の方法を実行させるコードを含む非一時的コンピュータ可読記憶媒体。
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
多くの電子機器のための充電ハブであって、
第１の有線接続を介して電力を受信するように構成される電力入力回路と、
前記電力入力回路から電力を受信するように構成される送信機であって、１つ以上の受信機電子機器に無線で電力を伝送するように構成される１つ以上の電力送信エレメントを有する送信機と、
前記電力入力回路から電力を受信して非無線電力受信電子機器に電力を供給するように構成される第２の有線接続と、
を含む充電ハブ。
【請求項２】
前記電力入力回路は、前記第１の有線接続を受け取るための第１のケーブルソケットと、前記第２の有線接続を受け取るための第２のケーブルソケットと、前記１つ以上の電力送信エレメント及び／又は前記第２の有線接続への電力分配を切り替えるためのセレクタと、をそれぞれ１つ以上含む、
ことを特徴とする請求項１に記載の充電ハブ。
【請求項３】
前記第１の有線接続は、電源から電力を供給するように構成される、
ことを特徴とする請求項２に記載の充電ハブ。
【請求項４】
前記充電ハブは、前記電力送信エレメント及び／又は前記第２の有線接続への供給のために前記第１の有線接続によって受信された電力を調節するように構成される電力調節器を含む、
ことを特徴とする請求項２に記載の充電ハブ。
【請求項５】
前記電力調節器は、前記電力送信エレメント及び／又は前記第２の有線接続への供給のために前記第１の有線接続によって受信された電力を調整するように構成される、
ことを特徴とする請求項４に記載の充電ハブ。
【請求項６】
前記電力調節器は、前記第２の有線接続への供給のために前記第１の有線接続によって受信された電力を調整するように構成される、
ことを特徴とする請求項５に記載の充電ハブ。
【請求項７】
電子機器を充電するためのシステムであって、前記システムは、
請求項１〜６の何れか１項に記載の充電ハブと、
無線電力受信機を含む１つ以上の受信機コンシューマ電子機器であって、それぞれの無線電力受信機が１つ以上の電力受信エレメントを有し、前記無線電力送信機と無線電力受信機が前記電力送信エレメントと電力受信エレメントとの間で無線で電力を伝送するように構成される、１つ以上の受信機コンシューマ電子機器と、
前記第２の有線接続を介して前記電源入力回路から電力を受信するように構成される１つ以上の非無線電力受信コンシューマ電子機器と、
を含む、
ことを特徴とするシステム。
【請求項８】
前記第１の有線接続は、それぞれがコネクタ部分を有する１つ以上のケーブルであり、
前記コネクタ部分の少なくとも１つは、前記１つ以上の無線電力送信機のうちの１つを収納するように適合され、
前記１つ以上の受信機コンシューマ電子機器のうちの１つは、前記コネクタ部分に収容された無線電力送信機から電力を受信するように当該無線電力受信機が配置されるように構成される、
ことを特徴とする請求項７に記載のシステム。
【請求項９】
前記コネクタ部分及び構成される受信機コンシューマ電子機器は、磁気接続を介して物理的に接続する、
ことを特徴とする請求項８に記載のシステム。
【請求項１０】
受信機コンシューマ電子機器間で双方向電力伝送を行う送受信機を更に含む、
ことを特徴とする請求項７に記載のシステム。
【請求項１１】
電力コマンドのルーティング及び／又は外部データ接続とのデータリンクのために非無線電力受信コンシューマ電子機器及び／又は受信機コンシューマ電子機器の間の通信リンクを更に含む、
ことを特徴とする請求項７に記載のシステム。
【請求項１２】
前記１つ以上の受信機コンシューマ電子機器は、少なくとも１つのポータブル機器、ウェアラブル機器及び／又は周辺機器を含み、及び／又は，
前記非無線電力受信コンシューマ電子機器は、少なくとも１つの非電池駆動の又は固定の機器及び／又は非ハンドヘルドのポータブル機器を含む、
ことを特徴とする請求項７に記載のシステム。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
異種核酸配列に機能的に連結された腋芽特異的プロモーターをコードする核酸配列を含む組換え核酸分子を含むタバコ植物。
【請求項２】
前記腋芽特異的プロモーターが、SEQ ID NO: 113〜118からなる群より選択される核酸配列と少なくとも９０％同一な核酸配列を含む、請求項１に記載のタバコ植物。
【請求項３】
前記腋芽特異的プロモーターが、SEQ ID NO: 113〜118からなる群より選択される核酸配列と少なくとも９５％同一な核酸配列を含む、請求項１に記載のタバコ植物。
【請求項４】
前記腋芽特異的プロモーターが、SEQ ID NO: 113〜118からなる群より選択される核酸配列と１００％同一な核酸配列を含む、請求項１に記載のタバコ植物。
【請求項５】
前記異種核酸配列が、SEQ ID NO: 1、3、5、7、9、11、13、15、17、19、21、23、25、27、29、31、33、35、37、39、41、43、45、47、49、51、53、55、57、59、61、63、65、67、69、71、73、75、77、79、および81からなる群より選択される、請求項１に記載のタバコ植物。
【請求項６】
前記異種核酸配列が、SEQ ID NO: 79と少なくとも９０％の配列同一性を含む、請求項１に記載のタバコ植物。
【請求項７】
前記異種核酸配列が、SEQ ID NO: 79と少なくとも９５％の配列同一性を含む、請求項１に記載のタバコ植物。
【請求項８】
前記異種核酸配列が、SEQ ID NO: 79と１００％の配列同一性を含む、請求項１に記載のタバコ植物。
【請求項９】
前記タバコ植物が、前記組換え核酸分子を欠失している対照タバコ植物と比較して、摘心後に低下した腋芽成長を含む、請求項１に記載のタバコ植物。
【請求項１０】
請求項１に記載のタバコ植物に由来する、乾燥タバコ葉。
【請求項１１】
請求項１０に記載の乾燥タバコ葉からつくられる、タバコ製品。
【請求項１２】
無煙タバコ製品、タバコ由来のニコチン製品、シガリロ、非通気式リセスフィルターシガレット、通気式リセスフィルターシガレット、葉巻、嗅ぎタバコ、パイプタバコ、葉巻タバコ、紙巻タバコ、噛みタバコ、葉タバコ、刻みタバコ、カットタバコ、ロングカット湿性無煙タバコ、およびスヌースからなる群より選択される、請求項１１に記載のタバコ製品。
【請求項１３】
異種核酸配列に機能的に連結された、SEQ ID NO: 113〜118からなる群より選択される配列と少なくとも９０％の配列同一性を有する配列を含むプロモーターを含む組換え核酸分子。
【請求項１４】
前記プロモーターが、SEQ ID NO: 113〜118からなる群より選択される配列と少なくとも９５％の配列同一性を有する配列を含む、請求項１３に記載の組換え核酸分子。
【請求項１５】
前記プロモーターが、SEQ ID NO: 113〜118からなる群より選択される配列と１００％の配列同一性を有する配列を含む、請求項１３に記載の組換え核酸分子。
【請求項１６】
前記異種核酸配列が、SEQ ID NO: 1、3、5、7、9、11、13、15、17、19、21、23、25、27、29、31、33、35、37、39、41、43、45、47、49、51、53、55、57、59、61、63、65、67、69、71、73、75、77、79、および81からなる群より選択される、請求項１３に記載の組換え核酸分子。
【請求項１７】
前記異種核酸配列が、SEQ ID NO: 79と少なくとも９０％の配列同一性を含む、請求項１３に記載の組換え核酸分子。
【請求項１８】
前記異種核酸配列が、SEQ ID NO: 79と少なくとも９５％の配列同一性を含む、請求項１３に記載の組換え核酸分子。
【請求項１９】
前記異種核酸配列が、SEQ ID NO: 79と１００％の配列同一性を含む、請求項１３に記載の組換え核酸分子。
【請求項２０】
（ａ）請求項１３に記載の組換え核酸分子をタバコ細胞に提供する工程、
（ｂ）工程（ａ）のタバコ細胞からタバコ植物を再生させる工程
を含む、タバコ植物を生成する方法。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
ヒトのオス個体の受精能状態を特定する方法であって：
個体の精子サンプルの第一の分量を、受精能不獲得コンディションにさらして受精能不獲得精子を得ること；
精子サンプルの第二の分量を、受精能獲得コンディションにさらして受精能獲得精子を得ること；
受精能獲得精子と受精能不獲得精子を固定液で固定すること；
受精能獲得精子と受精能不獲得精子を染色してＧM1パターンを特定すること；
受精能獲得精子と受精能不獲得精子中の選択したＧM1パターンの出現頻度を決定すること；及び
受精能獲得精子における前記選択ＧM1パターンの出現頻度と、受精能不獲得精子における前記選択ＧM1パターンの出現頻度を比較すること、ここで、受精能不獲得精子と比べた、受精能獲得精子における一以上の前記選択ＧM1パターンの出現頻度の変化は、個体の受精能状態を示す；
を含む方法
【請求項２】
前記選択ＧM1パターンが、中間(ＩＮＴＥＲ)、先体頂部(ＡＡ)、及び先体細胞膜(ＡＰＭ)の一以上である、請求項１に記載の方法。
【請求項３】
前記固定液が、パラホルムアルデヒド、グルタルアルデヒド又はそれらの組み合わせを含む、請求項１に記載の方法。
【請求項４】
ヒトのオス個体の受精能状態を特定する方法であって：
受精能獲得精子及び受精能不獲得精子を得ること、ここで、前記精子は前記個体に由来するものであり、当該精子は受精能不獲得又は受精能獲得コンディションにさらされ、固定され、ＧM1のために染色されている；
受精能獲得精子と受精能不獲得精子中の選択したＧM1パターンの出現頻度を決定すること；及び
受精能獲得精子における前記選択ＧM1パターンの出現頻度と、受精能不獲得精子における前記選択ＧM1パターンの出現頻度を比較すること、ここで、受精能不獲得精子と比べた、受精能獲得精子における一以上の前記選択ＧM1パターンの出現頻度の変化は、個体の受精能状態を示す；
を含む方法。
【請求項５】
ヒトのオス個体の受精能状態を不妊性、低受胎性、あるいは繁殖性と特定する方法であって：
個体の精子サンプルを受精能獲得コンディションにさらし、受精能獲得精子を得ること；
受精能獲得精子を固定液で固定すること；
受精能獲得精子を染色してＧM1パターンを特定すること；
受精能獲得精子中の選択したＧM1パターンの出現頻度を決定すること；及び
個体の受精能状態を判定するために、一以上のＧM1パターンの出現頻度を参照と比較すること；
を含む方法。
【請求項６】
前記の一以上のＧM1パターンが、ＩＮＴＥＲ、ＡＡ、及び／又はＡＰＭである、請求項５に記載の方法。
【請求項７】
前記参照が受精能閾値であり、当該受精能閾値より低い出現頻度は、不妊性又は低受胎性の受精能状態を示す、請求項５又は６に記載の方法。
【請求項８】
前記受精能閾値が、既知の繁殖性個体の集団に関する受精能獲得精子における、ＡＡ＋ＡＰＭパターンの平均パーセンテージ未満の１標準偏差のＡＡ＋ＡＰＭパターンのパーセンテージである、請求項７に記載の方法。
【請求項９】
前記受精能閾値が、集団の受精能が実質的に増加するのを止めるＡＡ＋ＡＰＭパターン出現頻度である、請求項７に記載の方法。
【請求項１０】
前記受精能閾値が、集団の５０％より多くが繁殖性であるＡＡ＋ＡＰＭのレベルである、請求項７に記載の方法。
【請求項１１】
前記受精能閾値が、総ＧM1パターンの３５〜４０％(上限値及び下限値を含む)の範囲内にあるＡＡ＋ＡＰＭのレベルである、請求項７に記載の方法。
【請求項１２】
前記参照が不妊症閾値であり、前記受精能閾値より低い出現頻度が、不妊性の受精能状態を示す、請求項５又は６に記載の方法。
【請求項１３】
前記不妊症閾値が、既知の繁殖性個体の集団に関する受精能獲得精子における、ＡＡ＋ＡＰＭパターンの平均パーセンテージ未満の２標準偏差のＡＡ＋ＡＰＭパターンのパーセンテージである、請求項１２に記載の方法。
【請求項１４】
前記不妊症閾値が、集団の５０％未満が繁殖性であるＡＡ＋ＡＰＭのレベルである、請求項１２に記載の方法。
【請求項１５】
前記不妊症閾値が、総ＧM1パターンの１４〜１８％(上限値及び下限値を含む)の範囲内にあるＡＡ＋ＡＰＭのレベルである、請求項１２に記載の方法。
【請求項１６】
オス個体の受精能状態を特定する方法であって：
精子サンプルを得ること、ここで、前記精子サンプルは前記個体に由来するものであり、当該精子サンプルは受精能獲得コンディションにさらされ、固定され、ＧM1パターンのために染色されている；
前記精子サンプル中のＧM1パターンの出現頻度を決定すること；及び
個体の受精能状態を判定するために、一以上のＧM1パターンの出現頻度を参照と比較すること；
を含む方法。
【請求項１７】
オス個体の受精能状態を特定するためのキットであって、
比較のためのＧM1パターンの表示を有するチャート、又は、受精能状態を示すＧM1パターン出現頻度の所定の基準；及び
以下の一以上：受精能獲得培地、受精能不獲得培地、固定組成物、ＧM1を測定するための試薬、及び染色パターン
を含むキット。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
放射性同位元素を作り出すための装置であって、
ハウジングと、
前記ハウジング内に位置決めされているディスクホルダであって、放射性同位元素を作り出すために前記ハウジング内に１つまたは複数のターゲットを保持するように構成されているディスクホルダと、
前記ハウジングに結合され、および、ターゲットホルダに隣接して位置決めされた少なくとも１つの湾曲した窓であって、前記ハウジング内へ前記ターゲットホルダに向かって面して向けられた凸形の湾曲した表面を有し、前記ハウジング内の前記ターゲットホルダによって保持された前記１つまたは複数のターゲットを照射して前記１つまたは複数のターゲットから放射性同位元素を作り出すために、前記ハウジングの外側から前記ターゲットホルダ内へ放射を透過するように動作可能な、少なくとも１つの湾曲した窓と
を備え、
前記ターゲットホルダは、前記ターゲットホルダによって保持された前記１つまたは複数のターゲットから冷却材が熱を除去するように、且つ前記少なくとも１つの湾曲した窓から前記冷却材が熱を除去するように、放射性同位元素を作り出す間、前記ハウジングを流通する前記冷却材を受け取るように動作可能な冷却材流入部分を備えており、
前記ターゲットホルダは、前記冷却材が通り過ぎ、前記１つまたは複数のターゲットおよび前記少なくとも１つの湾曲した窓から熱を除去した後で前記冷却材を前記ターゲットホルダから排出するように動作可能な冷却材流出部分を備えており、
前記ハウジングおよび前記ディスクホルダは、前記湾曲した窓の前記凸形の表面と前記ハウジング内に前記ターゲットホルダによって保持されたターゲットの隣接する表面との間のチャネルから前記冷却材を提供するように配置されており、そのために、前記湾曲した窓は、前記ハウジング内で前記凸形の表面の上を流れる前記冷却材によって冷却される、装置。
【請求項２】
前記少なくとも１つの湾曲した窓は２つの湾曲した窓であって、前記ハウジングに結合され且つ前記ターゲットホルダの両側に位置決めされた２つの湾曲した窓を含んでおり、前記２つの湾曲した窓はそれぞれ、前記ターゲットホルダの両側から前記ターゲットホルダに向かって面して向けられた前記凸形の表面を有し、前記２つの湾曲した窓は、前記１つまたは複数のターゲットを異なる２つの方向から同時に照射するために異なる２つの方向から前記ターゲットホルダ内に放射を透過するように動作可能である、請求項１に記載の装置。
【請求項３】
前記少なくとも１つの湾曲した窓の前記凸形の表面は球状の湾曲を有する、請求項１または２に記載の装置。
【請求項４】
前記少なくとも１つの湾曲した窓は前記凸形の表面とは反対側の凹形の表面を有する、請求項１から３のいずれか一項に記載の装置。
【請求項５】
前記少なくとも１つの湾曲した窓の前記凸形の表面は、前記ハウジング内で冷却材の流れ経路内に内向きに突出し、前記湾曲した窓から前記冷却材への増大された熱伝達を引き起こす、請求項１から４のいずれか一項に記載の装置。
【請求項６】
前記ターゲットホルダは前記ディスクホルダ内に複数のターゲットを保持するように構成されている、請求項１から５のいずれか一項に記載の装置。
【請求項７】
前記ターゲットホルダは、前記ディスクホルダ内に複数のディスク形状のターゲットを保持し、前記複数のディスク形状のターゲットが互いに実質的に平行に向けられ互いに離間された状態で、前記ターゲット間に前記冷却材の流れ経路を提供するように構成されている、請求項６に記載の装置。
【請求項８】
前記ディスクホルダはフィンを備えており、前記フィンは、前記複数のディスク形状のターゲットを保持するように構成されており、且つ前記フィン間および前記ターゲット間で前記冷却材の流れを可能にするように構成されている、請求項７に記載の装置。
【請求項９】
前記ターゲットホルダは複数の詰められた球状のターゲットを保持するように構成されている、請求項１から６のいずれか一項に記載の装置。
【請求項１０】
前記ターゲットホルダは単一のターゲットを保持するように構成されており、前記単一のターゲットは前記単一のターゲットを通る複数の冷却材の流れチャネルを備えている、請求項１から５のいずれか一項に記載の装置。
【請求項１１】
前記ターゲットホルダ内に装着されている１つまたは複数のターゲットであって、モリブデンを含んでいる１つまたは複数のターゲットをさらに備えている、請求項１から１０のいずれか一項に記載の装置。
【請求項１２】
前記ターゲットホルダ内に装着されている１つまたは複数のターゲットであって、Ｍｏ−１００を含んでいる１つまたは複数のターゲットをさらに備えている、請求項１から１１のいずれか一項に記載の装置。
【請求項１３】
第１の電子ビームが前記少なくとも１つの湾曲した窓を通過し、次いで前記ターゲットホルダ内の少なくとも１つのターゲットを通過するように、前記少なくとも１つの湾曲した窓にて前記第１の電子ビームを送達するように位置決めされた第１の電子ビームソースをさらに備えている、請求項１から１２のいずれか一項に記載の装置。
【請求項１４】
第２の電子ビームが本装置の第２の湾曲した窓を通過し、次いで前記ターゲットホルダ内の前記少なくとも１つのターゲットを通過するように、前記第２の湾曲した窓において前記第２の電子ビームを送達するように位置決めされた第２の電子ビームソースをさらに備えている、請求項１３に記載の装置。
【請求項１５】
前記少なくとも１つの湾曲した窓は元素金属または金属合金を含んでいる、請求項１から１４のいずれか一項に記載の装置。
【請求項１６】
前記少なくとも１つの湾曲した窓は、析出硬化インコネル合金、アルミニウムとベリリウムの合金、鋼、耐火金属合金、モリブデンとレニウムの合金、オーステナイト合金、マルテンサイト−フェライト合金、および、チタンとジルコニウムとモリブデンの合金（ＴＺＭ）から選択される金属合金を含んでいる、請求項１から１５のいずれか一項に記載の装置。
【請求項１７】
前記少なくとも１つの湾曲した窓は元素アルミニウムを含んでいる、請求項１から１６のいずれか一項に記載の装置。
【請求項１８】
前記ハウジングに結合されている冷却システムであって、前記ハウジングおよび前記ターゲットホルダを通って前記冷却材を導くように構成されている冷却システムをさらに備えている、請求項１から１７のいずれか一項に記載の装置。
【請求項１９】
前記冷却材はヘリウムガスを含んでいる、請求項１８に記載の装置。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
複数の磁石（９５，９６，９７，９８）を備えており、前記複数の磁石（９５，９６，９７，９８）は長手方向軸（１１０）周りに円周方向に分布しており、且つ前記長手方向軸（１１０）に沿って延びている、磁場生成器（５０）において、
前記複数の磁石が、前記磁場生成器の長さに実質的に沿って大きさが前記軸方向に実質的に連続的に変化する磁束密度を有する磁場を生成するように、前記複数の磁石の磁性材料が配置されており、
前記複数の磁石（９５，９６，９７，９８）の長さは、前記軸方向に異なっており、前記長手方向軸（１１０）に実質的に垂直な平面内における前記複数の磁石の磁性材料の量が前記平面の軸方向位置に応じて変化することで、前記複数の磁石が、前記磁場生成器（５０）の長さに実質的に沿って大きさが前記軸方向に実質的に連続的に変化する磁束密度を有する磁場を生成するように、前記複数の磁石は前記軸方向に重なり合っており、
前記複数の磁石（９５，９６，９７，９８）は、前記長手方向軸（１１０）から実質的に同じ半径で配置されている、磁場生成器。
【請求項２】
前記磁性材料の量は、前記平面の軸方向位置が変化すると、前記磁場生成器の長さの少なくとも一部分に沿って、前記平面内の磁性材料の量の少なくとも１つの連続的な変化によって変化する、請求項１に記載の磁場生成器。
【請求項３】
前記複数の磁石（９５，９６，９７，９８）は、第１の極を形成する第１の端部から第２の極を形成する第２の端部まで前記軸方向に延びており、前記平面内の磁性材料の量は、前記複数の磁石の第１及び又は前記第２の端部から前記第１及び第２の端部の間の中間点に向かって増加する、請求項１又は請求項２に記載の磁場生成器。
【請求項４】
前記複数の磁石（９５，９６，９７，９８）は、径方向内面から径方向外面まで延びる厚さを有する磁性材料の壁を備えており、前記磁性材料の壁の厚さは、軸方向の位置に応じて前記磁性材料の変化を提供するように、軸方向の位置に応じて変化する、請求項１乃至３の何れかに記載の磁場生成器。
【請求項５】
前記複数の磁石（９５，９６，９７，９８）は、非磁性材料のハウジングの壁内に配置されている、請求項１乃至４に記載の磁場生成器。
【請求項６】
前記複数の磁石（９５，９６，９７，９８）の各磁石は、前記ハウジングの壁のボア内に入れられる、請求項５に記載の磁場生成器。
【請求項７】
前記複数の磁石（９５，９６，９７，９８）の各磁石は、前記非磁性材料によって実質的に囲まれている、請求項５に記載の磁場生成器。
【請求項８】
前記磁場生成器は、１又は複数の磁石の組（１１１）を備えており、各組は、前記ハウジングの壁内に配置された、長さが異なる少なくとも１対の磁石を備えている、請求項５乃至７の何れかに記載の磁場生成器。
【請求項９】
前記複数の磁石（９５，９６，９７，９８）の磁性材料と前記長手方向軸（１１０）との間の距離が前記磁場生成器の長さに沿って変化することで、前記複数の磁石が、前記磁場生成器（５０）の長さに実質的に沿って前記軸方向に大きさが実質的に連続的に変化する磁束密度を有する磁場を生成する、請求項１乃至８の何れかに記載の磁場生成器。
【請求項１０】
前記複数の磁石（９５，９６，９７，９８）は、軸方向に延びる少なくとも１つの磁性材料のストリップを備えており、前記少なくとも１つの磁性材料のストリップは、前記長手方向軸（１１０）を中心に周方向に部分的に延びている、請求項１乃至９の何れかに記載の磁場生成器。
【請求項１１】
前記複数の磁石（９５，９６，９７，９８）の磁性材料の密度が軸方向位置に応じて変化することで、前記複数の磁石が、前記磁場生成器（５０）の長さに実質的に沿って前記軸方向に大きさが実質的に連続的に変化する磁束密度を有する磁場を生成する、請求項１乃至１０の何れかに記載の磁場生成器。
【請求項１２】
前記複数の磁石（９５，９６，９７，９８）の磁性材料の強さが軸方向位置に応じて変化することで、前記複数の磁石が、前記磁場生成器（５０）の長さに実質的に沿って前記軸方向に大きさが実質的に連続的に変化する磁束密度を有する磁場を生成する、請求項１乃至１１の何れかに記載の磁場生成器。
【請求項１３】
軸（１８０）に沿って移動するように構成された可動部材と磁気センサ装置とを備える位置検出アセンブリ（８０）であって、
請求項１乃至１２の何れかに記載の磁場生成器（５０）が、前記可動部材と共に移動するように前記可動部材に連結されており、前記磁気センサ装置は、前記磁場生成器（５０）の軸方向位置を決定するように構成された少なくとも１つの磁気センサ（１０１）を備えている、位置検出アセンブリ。